(57)【特許請求の範囲】
【請求項１】
押離鍵操作されてそれぞれ揺動する複数の鍵と、
前記複数の鍵の揺動にそれぞれ連動して揺動する互いに異なる複数の質量体と、
前記複数の鍵及び前記複数の質量体を支持する支持部材とを有する電子楽器の鍵盤装置において、
前記質量体を識別するための識別子を、前記複数の質量体の上面であって、前記複数の質量体を前記支持部材に組み付けた状態で視認可能であり、かつ前記複数の鍵を前記支持部材に組み付けた状態で視認不可能である、前記複数の鍵の下方に位置する領域に設け、
前記識別子に対応していて、それぞれの前記質量体の組み付け位置を表す標識を、前記支持部材の表面であって、前記複数の質量体を前記支持部材に組み付けた状態で視認可能であり、かつ前記支持部材を前記電子楽器に組み付けた状態で視認不可能である、前記電子楽器の本体内に位置する領域に設けたことを特徴とする電子楽器の鍵盤装置。
【請求項２】
請求項１に記載の電子楽器の鍵盤装置において、
前記複数の質量体は、前記複数の鍵の揺動にそれぞれ連動して揺動する複数のハンマーであることを特徴とする電子楽器の鍵盤装置。
【請求項３】
請求項１又は２に記載の電子楽器の鍵盤装置において、
前記識別子として、序列概念のある文字又は記号を含む印を設けたことを特徴とする電子楽器の鍵盤装置。
【請求項４】
請求項１又は２に記載の電子楽器の鍵盤装置において、
前記識別子として、前記質量体ごとに色彩が異なる印を設けたことを特徴とする電子楽器の鍵盤装置。
【請求項５】
請求項１又は２に記載の電子楽器の鍵盤装置において、
前記識別子として、前記質量体ごとに寸法が異なる印を設けたことを特徴とする電子楽器の鍵盤装置。
【請求項６】
請求項１又は２に記載の電子楽器の鍵盤装置において、
前記識別子として、前記質量体ごとに向きが異なる印を設けたことを特徴とする電子楽器の鍵盤装置。
【請求項７】
請求項１又は２に記載の電子楽器の鍵盤装置において、
前記識別子として、前記質量体ごとに前記領域内の異なる位置に印を設けたことを特徴とする電子楽器の鍵盤装置。
【請求項８】
請求項１又は２に記載の電子楽器の鍵盤装置において、
前記識別子として、コード化されていて、所定の装置によって読み取り可能な印を設けたことを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、鍵に係合する係合部を有していて、鍵の揺動に連動して揺動するハンマーを備えた電子楽器の鍵盤装置は知られている。この鍵盤装置においては、低音部から高音部に向かうに従って、ハンマーの質量を徐々に小さくしている。
【先行技術文献】
【特許文献】
【０００３】
【特許文献１】特開２０１１−１７９０７号公報
【発明の概要】
【０００４】
上記のように、ハンマーの質量は、係合する鍵に割り当てられた音高ごとに異なる。しかし、音高が近接するハンマー同士の質量の差は僅かであり、それらの形状の差も僅かであるので、それぞれのハンマーを識別するのが困難であった。そのため、鍵盤装置の組み立て性及び検査効率が低下していた。
【０００５】
本発明は上記問題を解決するためになされたものであり、その目的は、互いに異なる複数の質量体を有する電子楽器の鍵盤装置の組み立て性及び検査効率を向上することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
前記目的を達成するため、本発明の特徴は、押離鍵操作されてそれぞれ揺動する複数の鍵（１１ｗ，１１ｂ）と、複数の鍵の揺動にそれぞれ連動して揺動する互いに異なる複数の質量体（１６ｗ，１６ｂ）と、複数の鍵及び複数の質量体を支持する支持部材（１２）とを有する電子楽器の鍵盤装置において、質量体を識別するための識別子を、複数の質量体の上面であって、複数の質量体を支持部材に組み付けた状態で視認可能であり、かつ複数の鍵を支持部材に組み付けた状態で視認不可能である、複数の鍵の下方に位置する領域に設け、前記識別子に対応していて、それぞれの質量体の組み付け位置を表す標識を、支持部材の表面であって、複数の質量体を支持部材に組み付けた状態で視認可能であり、かつ支持部材を電子楽器に組み付けた状態で視認不可能である、電子楽器の本体内に位置する領域に設けたことにある。
【０００７】
この場合、複数の質量体は、複数の鍵の揺動にそれぞれ連動して揺動する複数のハンマーとするとよい。

【０００８】
この場合、識別子として、序列概念のある文字又は記号を含む印を設けるとよい。また、識別子として、質量体ごとに色彩が異なる印を設けてもよい。また、識別子として、質量体ごとに寸法が異なる印を設けてもよい。また、識別子として、質量体ごとに向きが異なる印を設けてもよい。また、識別子として、質量体ごとに前記領域内の異なる位置に印を設けてもよい。また、識別子として、コード化されていて、所定の装置によって読み取り可能な印を設けてもよい。
【０００９】
上記のように構成した電子楽器の鍵盤装置によれば、質量体に設けられた識別子に対応する標識が設けられている位置に、その質量体を組み付ければよいので、鍵盤装置の組み立て性を向上させることができる。また、質量体に設けられた識別子及び支持部材に設けられた標識は、質量体を支持部材に組み付けた後においても視認可能なので、質量体の組み付け位置の検査効率を向上させることができる。さらに、前記検査の後、支持部材（すなわち、鍵盤装置）を電子楽器に組み付けた後には、前記識別子及び前記標識は外部から視認不可能なので、電子楽器の美観に影響を与えない。
【図面の簡単な説明】
【００１０】
【図１】本発明の第１実施形態に係る鍵盤装置の白鍵に関する構成を示す右側面図である。
【図２】本発明の第１実施形態に係る鍵盤装置の黒鍵に関する構成を示す右側面図である。
【図３】音高と質量体の質量との関係を示す特性曲線図である。
【図４】図１及び図２の白鍵用ハンマー及び黒鍵用ハンマーの平面図である。
【図５】図１及び図２の白鍵用ハンマー及び黒鍵用ハンマーの各部の位置関係を示す側面図である。
【図６】音高とハンマーの揺動中心回りの慣性モーメントとの関係を示す特性曲線図である。
【図７】音高と鍵タッチとの関係を示す特性曲線図である。
【図８】本発明の第２実施形態に係る鍵盤装置の白鍵に関する構成を示す右側面図である。
【図９】本発明の第２実施形態に係る鍵盤装置の黒鍵に関する構成を示す右側面図である。
【図１０】音高と鍵の質量との関係を示す特性曲線図である。
【図１１】本発明の第２実施形態に係る鍵盤装置の平面図である。
【図１２】ハンマーの組み付け位置を表す標識を、基板に付した例を示す平面図である。
【図１３】ハンマーの組み付け位置を表す標識を、鍵ガイドに付した例を示す平面図である。
【図１４】ハンマーの組み付け位置を表す標識を、鍵の下限ストッパーに付した例を示す平面図である。
【図１５】鍵を識別するための識別子として、ひらがなを５０音順に１文字ずつ記した例を示す平面図である。
【図１６】鍵を識別するための識別子として、鍵ごとに色彩の異なる印を付した例を示す平面図である。
【図１７】鍵を識別するための識別子として、鍵ごとに寸法の異なる印を付した例を示す平面図である。
【図１８】鍵を識別するための識別子として、鍵ごとに指し示す方向の異なる印を付した例を示す平面図である。
【図１９】鍵を識別するための識別子として、鍵ごとに異なる位置に印を付した例を示す平面図である。
【発明を実施するための形態】
【００１１】
以下、本発明の一実施形態について図面を用いて説明する。以下の説明では、演奏者に近い側を「前側」とし、演奏者から遠い側を「後側」とする。また、高音部側を「右側」とし、低音部側を「左側」とする。
【００１２】
この鍵盤装置は、図１及び図２に示すように、複数の白鍵１１ｗ及び複数の黒鍵１１ｂを有している。白鍵１１ｗ及び黒鍵１１ｂは、それぞれ合成樹脂によって長尺状に一体成型されている。白鍵１１ｗは、黒鍵１１ｂに比べて前後方向に長い。また、白鍵１１ｗは、黒鍵１１ｂに比べて、上下方向の幅が小さく、左右方向の幅が大きい。白鍵１１ｗ及び黒鍵１１ｂは、前後方向に延設された薄肉の上壁及び上壁の左右端からそれぞれ下方へ延設された薄肉の側壁を有し、下方に開放した中空状に形成されている。また、白鍵１１ｗ及び黒鍵１１ｂの側壁の後部には、それぞれ対向する貫通孔Ｋｗ及び貫通孔Ｋｂが設けられている。そして、白鍵１１ｗ及び黒鍵１１ｂは、鍵フレーム１２の鍵支持部１３により支持されている。
【００１３】
鍵フレーム１２は、樹脂の一体成型により左右方向に延設されている。鍵フレーム１２は、前後方向及び左右方向に延設された前板１２ａ及び後板１２ｂを有する。後板１２ｂは、前板１２ａよりも前後方向の幅が狭い。上記の鍵支持部１３は、後板１２ｂの上面から上方へ突出するように形成されている。鍵支持部１３は、それぞれ対向する２枚の板状に形成されていて、内側に対向する突出部１３ａを備えている。前記突出部１３ａは、貫通孔Ｋｗ及び貫通孔Ｋｂに嵌合している。これにより、白鍵１１ｗ及び黒鍵１１ｂは、突出部１３ａ回りに回転可能に支持され、前端部が上下方向に揺動可能となっている。前板１２ａ及び後板１２ｂには、下方に延設された複数のリブ１２ｄの上端部が一体的に接続されている。リブ１２ｄは、左右方向に薄肉で前後方向に延設されており、左右方向に所定の間隔をおいて設けられている。また、リブ１２ｄは、前板１２ａの前端よりも前方へ張り出している。この張り出した部分に、後述のレール部１７、レール部１９及びレール部２１が設けられる。また、後板１２ｂの後端から下方へ垂直壁１２ｅが延設されており、垂直壁１２ｅの下端から後方へ水平板１２ｆが延設されている。
【００１４】
また、白鍵１１ｗの中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。一方、黒鍵１１ｂも白鍵１１ｗと同様の駆動部１１ｂ１を有する。黒鍵１１ｂは、離鍵状態において白鍵１１ｗの上面よりも上方に突出した部分（以下、黒鍵１１ｂの見え掛り部という。）の前端から下方へ延設された後、僅かに前方へ湾曲させられた連結部を有し、この連結部の先端に、駆動部１１ｂ１の上端が接続されている。駆動部１１ｗ１と駆動部１１ｂ１の前後方向の位置は同一であり、駆動部１１ｗ１と駆動部１１ｂ１の下端壁の上下方向の位置も同一である。すなわち、駆動部１１ｗ１及び駆動部１１ｂ１は、黒鍵１１ｂの見え掛り部の前端よりも前方に位置する。なお、この駆動部１１ｗ１及び駆動部１１ｂ１の前後方向の位置の詳細については、後述する。前板１２ａの前方に設けられた上下に開口した開口部内にて、駆動部１１ｗ１及び駆動部１１ｂ１の下端部が、ハンマー１６ｗ及びハンマー１６ｂの前端部にそれぞれ係合している。
【００１５】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｗ２及び質量体１６ｂ３からなる。基部１６ｗ１及び基部１６ｂ１は、板状の部材であって、右側面から左側面に貫通する貫通孔Ｈｗ及び貫通孔Ｈｂを有する。リブ１２ｄの中間下端部には、隣り合うリブ１２ｄの下端部を繋ぐレール部１７が延設されている。レール部１７は、前板１２ａ及び後板１２ｂに比べて前後方向の幅が狭い。レール部１７の上面には、上方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗは、レール部１７の前部に設けられ、ハンマー支持部１８ｂは、レール部１７の後部に設けられている。すなわち、ハンマー１６ｂの揺動中心は、ハンマー１６ｗの揺動中心の後方に位置する。ハンマー１６ｗの揺動中心の前後方向の位置は、全てのハンマー１６ｗについて共通であり、ハンマー１６ｂの揺動中心の前後方向の位置は、全てのハンマー１６ｂについて共通である。このハンマー１６ｗ及びハンマー１６ｂの揺動中心の前後方向の位置の詳細については後述する。
【００１６】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００１７】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、次に説明する質量体１６ｗ３及び質量体１６ｂ３の後端が白鍵１１ｗ及び黒鍵１１ｂの揺動中心よりも僅かに前方に位置するように、連結棒１６ｗ２及び連結棒１６ｂ２の長さが調整されている。
【００１８】
質量体１６ｗ３及び質量体１６ｂ３の重心が、連結棒１６ｗ２及び連結棒１６ｂ２の後端に一致するようにして組み付けられている。図３に示すように、質量体１６ｗ３及び質量体１６ｂ３の質量は、低音部から高音部に向かうに従って、音高順に軽くなっている。本実施形態においては、図４に示すように、質量体１６ｗ３及び質量体１６ｂ３の外形寸法（例えば、前後方向の長さ）を、低音部から高音部に向かうに従って小さくしている。音高に対する質量体１６ｗ３及び質量体１６ｂ３の質量は、低音部から高音部に向かうに従って常に一定の変化率で変化するようにしてもよいし、所定の鍵域ごと（例えば、１オクターブごと）に変化率を異ならせてもよい。なお、基部１６ｗ１及び基部１６ｂ１の質量と、連結棒１６ｗ２及び連結棒１６ｂ２の質量とは、質量体１６ｗ３及び質量体１６ｂ３の質量に比べて小さいので、ハンマー１６ｗの重心Ｇｗ及びハンマー１６ｂの重心Ｇｂは、それぞれハンマー１６ｗ及びハンマー１６ｂの揺動中心から見て質量体１６ｗ３及び質量体１６ｂ３側に位置する。
【００１９】
本実施形態においては、ハンマー１６ｗの揺動中心から連結棒１６ｗ２の後端までの距離及びハンマー１６ｂの揺動中心から連結棒１６ｂ２の後端までの距離、並びにハンマー１６ｗの揺動中心から脚部Ｆｗ２における駆動部１１ｗ１との当接部Ｐｗ１までの距離及びハンマー１６ｂの揺動中心から脚部Ｆｂ２における駆動部１１ｂ１との当接部Ｐｂ１までの距離が、次のように調整されている。すなわち、白鍵１１ｗと黒鍵１１ｂにおける押鍵位置、当接部、鍵の揺動中心及びハンマーの揺動中心の位置関係の違いに起因する鍵タッチの違いを解消するために、ハンマー１６ｗ及びハンマー１６ｂのそれぞれの揺動中心回りの慣性モーメント、並びに押鍵によってハンマー１６ｗ及びハンマー１６ｂに加えられる荷重の大きさが調整されている。
【００２０】
ここで、白鍵１１ｗの押鍵位置から、白鍵１１ｗの揺動中心までの距離を距離Ｌｋｗ１とし、当接部Ｐｗ１から、白鍵１１ｗの揺動中心までの距離を距離Ｌｋｗ２とする。また、黒鍵１１ｂの押鍵位置から、黒鍵１１ｂの揺動中心までの距離を距離Ｌｋｂ１とし、当接部Ｐｂ１から、黒鍵１１ｂの揺動中心までの距離を距離Ｌｋｂ２とする。また、図５に示すように、ハンマー１６ｗの揺動中心から連結棒１６ｗ２の後端までの距離を距離Ｌｈｗ１とし、ハンマー１６ｗの揺動中心から当接部Ｐｗ１までの距離を距離Ｌｈｗ２とする。また、ハンマー１６ｂの揺動中心から連結棒１６ｂ２の後端までの距離を距離Ｌｈｂ１とし、ハンマー１６ｂの揺動中心から当接部Ｐｂ１までの距離を距離Ｌｈｂ２とする。このとき、各距離が、（Ｌｈｗ１／Ｌｈｗ２）×（Ｌｋｗ２／Ｌｋｗ１）＝（Ｌｈｂ１／Ｌｈｂ２）×（Ｌｋｂ２／Ｌｋｂ１）の関係を満たすように、ハンマー１６ｗ及びハンマー１６ｂの揺動中心の位置並びに当接部Ｐｗ１及び当接部Ｐｂ１の位置が調整されている。すなわち、距離Ｌｈｂ１を距離Ｌｈｗ１よりも短くするとともに、距離Ｌｈｂ２を距離Ｌｈｗ２よりも長くしている。
【００２１】
上記のように、質量体１６ｗ３の質量は、対応する鍵の音高が高くなるに従って徐々に小さくなっているので、ハンマー１６ｗの揺動中心から重心Ｇｗまでの距離は、低音部から高音部に向かうに従って、徐々に小さくなっている。また、質量体１６ｂ３の質量は、対応する鍵の音高が高くなるに従って徐々に小さくなっているので、ハンマー１６ｂの揺動中心から重心Ｇｂまでの距離も、低音部から高音部に向かうに従って、徐々に小さくなっている。さらに、ハンマー１６ｂの揺動中心から重心Ｇｂまでの距離は、隣接するそれぞれのハンマー１６ｗの揺動中心から重心Ｇｗまでの距離よりも小さくなっている。
【００２２】
言い換えれば、ハンマー１６ｗの揺動中心回りの慣性モーメントは、低音部から高音部に向かうに従って、徐々に小さくなっている。また、ハンマー１６ｂの揺動中心回りの慣性モーメントも、低音部から高音部に向かうに従って、徐々に小さくなっている。さらに、ハンマー１６ｂの揺動中心回りの慣性モーメントは、隣接するそれぞれのハンマー１６ｗの揺動中心回りの慣性モーメントよりも小さくなっている。すなわち、図６に示すように、音高順にハンマー１６ｗ及びハンマー１６ｂの揺動中心まわりの慣性モーメントを表した特性曲線図において、ハンマー１６ｗの特性曲線及びハンマー１６ｂの特性曲線は、右下がりの平行な曲線であって、かつハンマー１６ｂの特性曲線がハンマー１６ｗの特性曲線の下側に位置する。
【００２３】
また、ハンマー１６ｗ及びハンマー１６ｂの上面（例えば、基部１６ｗ１及び基部１６ｂ１の上面）には、それぞれのハンマーを識別するための識別子として、対応する鍵の音名（Ｃ，Ｃ＃，Ｄ・・・Ｂ）及び鍵域番号（１，２・・・７）が記されている。この音名及び鍵域番号を、樹脂成型により基部１６ｗ１及び基部１６ｂ１と一体的に設けるとよい。なお、この音名及び鍵域番号を、印刷により設けてもよいし、音名及び鍵域番号を記した別部品を組み付けるようにしてもよい。
【００２４】
白鍵１１ｗ及び黒鍵１１ｂの離鍵時には、ハンマー１６ｗ及びハンマー１６ｂは、自重により、前端部が上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００２５】
また、隣り合うリブ１２ｄの前端部を繋ぐようにして、レール部１９が左右方向に延設されている。レール部１９の前後方向の幅は、前板１２ａ及び後板１２ｂの前後方向の幅に比べて狭い。レール部１９の上面から上方に突出するようにして、白鍵１１ｗの揺動をガイドするための鍵ガイド１９ｗが形成されている。鍵ガイド１９ｗは、白鍵１１ｗに下方から侵入しており、押離鍵時に鍵ガイド１９ｗの側面と白鍵１１ｗの側壁の内側の面が摺接するようになっている。これにより、押離鍵時の白鍵１１ｗの左右方向の微少な変位を抑制している。
【００２６】
また、隣り合うリブ１２ｄの上端部であって、黒鍵１１ｂの見え掛り部の前端部の下方に位置する部分を繋ぐようにして、レール部２１が左右方向に延設されている。レール部２１の前後方向の幅は、前板１２ａ及び後板１２ｂの前後方向の幅に比べて狭い。レール部２１の上面から上方に突出するようにして、黒鍵１１ｂの揺動をガイドするための鍵ガイド２１ｂが形成されている。鍵ガイド２１ｂは、黒鍵１１ｂに下方から侵入しており、押離鍵時に鍵ガイド２１ｂの側面と黒鍵１１ｂの側壁の内側の面が摺接するようになっている。これにより、押離鍵時の黒鍵１１ｂの左右方向の微少な変位を抑制している。
【００２７】
また、各リブ１２ｄの中間部には、上端から下方へ向かって方形状に切り欠いた、切り欠き１２ｄ１が設けられている。この切り欠き１２ｄ１を一体成型により形成するために、切り欠き１２ｄ１の上方に位置する前板１２ａの中間部には、上面から下面に貫通した方形状の貫通孔が設けられている。そして、前板１２ａの下面には、フエルトなどの衝撃吸収材によって構成した長尺状の下限ストッパ２２が、リブ１２ｄの切り欠き１２ｄ１を通って、左右方向に延設されて固着されている。この下限ストッパ２２は、押鍵時にハンマー１６ｗ及びハンマー１６ｂの後部に当接して、ハンマー１６ｗ及びハンマー１６ｂの後端部の上方への変位を規制することにより、白鍵１１ｗ及び黒鍵１１ｂの前端部の下方への変位を規制する。また、フレームＦＲの後部には、フエルトなどの衝撃吸収材によって構成した上限ストッパ２３が、固着されている。離鍵時において、質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する。
【００２８】
また、白鍵１１ｗ及び黒鍵１１ｂの中間部の下面には、スイッチ駆動部２４が設けられている。スイッチ駆動部２４は、基板２５上に配置されたスイッチＳＷの上面に当接している。スイッチＳＷは、各鍵ごとに設けられ、各鍵の揺動に伴って押圧されて、各鍵の押離鍵状態を検出する。また、基板２５には、上面から下面に貫通した貫通孔が設けられている。この貫通孔の位置は、前板１２ａの上面に一体的に形成されたボス２６の位置に対応している。この貫通孔にねじを通してボス２６にねじ込むことにより、基板２５が、鍵フレーム１２に固定される。
【００２９】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００３０】
また、水平板１２ｆの上面には、それぞれのハンマー支持部１８ｗ及びハンマー支持部１８ｂに対応した位置に、ハンマーの組み付け位置を表す標識として、それらのハンマー支持部１８ｗ及びハンマー支持部１８ｂに組み付けられるハンマー１６ｗ及びハンマー１６ｂに対応する鍵の音名及び鍵域番号が記されている。この水平板１２ｆの音名及び鍵域番号も、基部１６ｗ１及び基部１６ｂ１と同様に、樹脂成型により水平板１２ｆと一体的に設けるとよい。また、印刷により設けてもよいし、音名及び鍵域番号を記した別部品を組み付けるようにしてもよい。
【００３１】
上記のように構成した本実施形態に係る鍵盤装置においては、ハンマー１６ｗ及びハンマー１６ｂのそれぞれの揺動中心の位置、並びに当接部Ｐｗ１及び当接部Ｐｂ１の位置を調整して、各部間の距離が上記の所定の関係を満たすようにしたので、白鍵１１ｗと黒鍵１１ｂにおける押鍵位置、当接部、鍵の揺動中心及びハンマーの揺動中心の位置関係の違いに起因する鍵タッチの違いを解消できる。すなわち、図７に示すように、低音部の鍵から高音部の鍵に向かうに従って鍵タッチを軽くすることができる。そして、それぞれのハンマー１６ｗ及びハンマー１６ｂを識別する識別子を設けた。また、それぞれのハンマー支持部１８ｗ及びハンマー支持部１８ｂの後方の水平板１２ｆの上面に、ハンマーの組み付け位置を表す標識を設けた。これによれば、鍵盤装置の組み立て工程において、ハンマー１６ｗ及びハンマー１６ｂに記された音名及び鍵域番号と同じ音名及び鍵域番号のハンマー支持部１８ｗ及びハンマー支持部１８ｂに、それらのハンマー１６ｗ及びハンマー１６ｂを組み付ければよいので、簡単に作業できる。したがって、鍵盤装置の組み立て性を向上させることができる。また、確実に正しい位置にハンマー１６ｗ及びハンマー１６ｂを組み付けることができる。
【００３２】
さらに、基部１６ｗ１及び基部１６ｂの上面に音名及び鍵域番号を記しておくようにしたので、ハンマー１６ｗ及びハンマー１６ｂの鍵フレーム１２への組み付け後においても音名及び鍵域番号を視認できる。ハンマー１６ｂの両隣のハンマー１６ｗ同士の構成の差は僅かであるが、ハンマー１６ｗ自体が隣り合っていないために、それらが鍵フレーム１２に組み付けられた後においては両者の比較が困難である。すなわち、両者を近づけること、及び重ね合わせることができないので、視覚的に比較することが困難である。しかし、上記のように構成しておけば、ハンマー１６ｗ及びハンマー１６ｂに記された音名及び鍵域番号と水平板１２ｆに記された音名及び鍵域番号とを対比させるだけでハンマー１６ｗ及びハンマー１６ｂの鍵フレーム１２における組み付け位置を検査できるので、検査効率を向上させることができる。
【００３３】
また、白鍵１１ｗ及び黒鍵１１ｂを鍵フレーム１２に組み付けた後には、ハンマー１６ｗ及びハンマー１６ｂに記された音名及び鍵域番号は、白鍵１１ｗ及び黒鍵１１ｂの下方に位置するので、外部から視認できなくなる。さらに、この鍵盤装置を電子楽器本体に組み付けた後には、鍵フレーム１２の水平部１２ｆは、電子楽器本体内に位置するので、外部から視認できなくなる。したがって、ハンマー１６ｗ、ハンマー１６ｂ及び鍵フレーム１２に記された音名及び鍵域番号は、電子楽器の美観に影響を与えない。
【００３４】
次に本発明の第２実施形態に係る鍵盤装置について説明する。第２実施形態においては、図８及び図９に示すように、白鍵１１ｗ及び黒鍵１１ｂの前端部に質量体Ｍｗ及び質量体Ｍｂをそれぞれ組み付けている。これにより、白鍵１１ｗ及び黒鍵１１ｂの質量を低音部から高音部に向かうに従って徐々に重くしている。具体的には、図１０に示すように、音高と鍵の質量との関係を表した特性曲線図において、白鍵１１ｗの特性曲線と黒鍵１１ｂの特性曲線は、平行な右上がりの曲線であって、黒鍵１１ｂの特性曲線が、白鍵１１ｗの特性曲線の上側に位置するようにしている。なお、白鍵１１ｗ及び黒鍵１１ｂの上壁及び側壁の肉厚を音高順に徐々に厚くすることにより、白鍵１１ｗ及び黒鍵１１ｂの質量を徐々に大きくしてもよい。
【００３５】
本実施形態においては、白鍵１１ｗ及び黒鍵１１ｂの質量の特性を上記のように設定したので、ハンマー１６ｗ及びハンマー１６ｂのそれぞれの揺動中心回りの慣性モーメントの特性曲線のずれが、上記第１実施形態よりも小さくなるように、ハンマー１６ｗ及びハンマー１６ｂの揺動中心の位置、質量体１６ｗ３及び質量体ｂ３の質量を調整している。なお、上記第１実施形態におけるハンマー１６ｗ及びハンマー１６ｂの構成を全ての白鍵１１ｗ及び黒鍵１１ｂについて同一としてもよい。この場合、ハンマー１６ｗ及びハンマー１６ｂは、白鍵１１ｗ及び黒鍵１１ｂの前端を上方へ付勢する手段としてのみ機能し、鍵タッチの調整には関与しない。また、ハンマー１６ｗ及びハンマー１６ｂに代えて、バネによって白鍵１１ｗ及び黒鍵１１ｂの前端を上方へ付勢してもよい。この場合、音高とバネによる鍵への付勢力との関係を表した特性曲線図において、白鍵１１ｗの特性曲線と黒鍵１１ｂの特性曲線とが右下がりの平行な曲線であって、黒鍵１１ｂの特性曲線が白鍵１１ｗの特性曲線の下側に位置するようにすればよい。また、全ての鍵についてバネによる付勢力が一定になるようにしてもよい。
【００３６】
上記のように、白鍵１１ｗ及び黒鍵１１ｂの質量は、割り当てられた音高ごとに異なっている。しかし、割り当てられた音高が近接する白鍵１１ｗ同士及び黒鍵１１ｂ同士の質量の差は僅かである。そこで、それぞれの白鍵１１ｗ及び黒鍵１１ｂを識別するための識別子として、それぞれに割り当てられた音名及び鍵域番号が記されている。この音名及び鍵域番号は、図１１に示すように、それぞれ白鍵１１ｗ及び黒鍵１１ｂの上面の後端部に記されている。すなわち、白鍵１１ｗ及び黒鍵１１ｂを鍵フレーム１２に組み付けた状態で、黒鍵１１ｂの見え掛り部の後端よりも後方に位置する。また、この音名及び鍵域番号を、樹脂成型により白鍵１１ｗ及び黒鍵１１ｂと一体的に設けるとよい。なお、この音名及び鍵域番号を、印刷により設けてもよいし、音名及び鍵域番号を記した別部品を組み付けるようにしてもよい。その他の構成は、第１実施形態と同様である。
【００３７】
上記のように構成した鍵盤装置においては、白鍵１１ｗ及び黒鍵１１ｂの質量、ハンマー１６ｗ及びハンマー１６ｂのそれぞれの揺動中心回りの慣性モーメントを調整して、第１実施形態と同様に、白鍵１１ｗと黒鍵１１ｂにおける押鍵位置、当接部、鍵の揺動中心及びハンマーの揺動中心の位置関係の違いに起因する鍵タッチの違いを解消するようにした。そして、鍵フレーム１２への白鍵１１ｗ及び黒鍵１１ｂの組み付け作業において、白鍵１１ｗ及び黒鍵１１ｂに記された音名及び鍵域番号と同じ音名及び鍵域番号が記されている位置に、それらの鍵を組み付ければよいので、簡単に作業できる。したがって、鍵盤装置の組み立て性を向上させることができる。また、白鍵１１ｗの後端部の上面及び黒鍵１１ｂの見え掛り部よりも後方の後端部の上面に音名及び鍵域番号を記すようにしたので、白鍵１１ｗ及び黒鍵１１ｂの鍵フレーム１２への組み付け後においても音名及び鍵域番号を視認できる。したがって、白鍵１１ｗ及び黒鍵１１ｂに記された音名及び鍵域番号と水平板１２ｆに記された音名及び鍵域番号とを対比させるだけで検査できるので、白鍵１１ｗ及び黒鍵１１ｂの鍵フレーム１２への組み付け位置の検査効率を向上させることができる。さらに、この鍵盤装置を電子楽器本体に組み付けた後には、白鍵１１ｗ及び黒鍵１１ｂの後端部、並びに鍵フレーム１２の水平部１２ｆは、電子楽器本体内に位置するので、外部から視認できなくなる。したがって、白鍵１１ｗ、黒鍵１１ｂ及び鍵フレーム１２に記された音名及び鍵域番号は、電子楽器の美観に影響を与えない。
【００３８】
さらに、本発明の実施にあたっては、上記実施形態に限定されるものではなく、本発明の目的を逸脱しない限りにおいて種々の変更が可能である。
【００３９】
例えば、上記第１実施形態においては、それぞれのハンマー１６ｗ及びハンマー１６ｂの組み付け位置を示すために、鍵フレーム１２の水平板１２ｆの上面に音名及び鍵域番号を記すようにした。しかし、ハンマー１６ｗ及びハンマー１６ｂの組み付け位置を示すための音名及び鍵域番号を記す部位は、水平板１２ｆに限られない。すなわち、ハンマー支持部１８ｗ及びハンマー支持部１８ｂにハンマー１６ｗ及びハンマー１６ｂを組み付ける前及び組み付けた後のいずれの段階においても、上方から視認可能な位置に前記音名及び鍵域番号を記せばよい。この場合、例えば、左右方向に延設された部品、左右方向に併設された部品などに、前記音名及び鍵域番号を記すとよい。具体的には、図１２に示すように、基板２５の後端部（又は前端部）に、前記音名及び鍵域番号を記すようにしてもよい。また、図１３に示すように、鍵ガイド１９ｗ及び鍵ガイド２１ｂの上面に、前記音名及び鍵域番号を記すようにしてもよい。また、図１４に示すように、レール部１９及びレール部２１に、白鍵１１ｗ及び黒鍵１１ｂの前端部の下方への揺動を規制する下限ストッパをそれぞれ延設しておき、この下限ストッパの上面に前記音名及び鍵域番号を記すようにしてもよい。これらのように構成しても、上記実施形態と同様の効果が得られる。
【００４０】
また、上記第１実施形態においては、鍵盤装置の組み立て性の向上及び検査効率の向上のために、ハンマー１６ｗ、ハンマー１６ｂ及び鍵フレーム１２にそれぞれ音名及び鍵域番号を記すようにした。一方、上記第２実施形態においても、鍵盤装置の組み立て性の向上及び検査効率の向上のために、白鍵１１ｗ、黒鍵１１ｂ及び鍵フレーム１２にそれぞれ音名及び鍵域番号を記すようにした。しかし、音名及び鍵域番号に代えて、以下の様な印を設けてもよい。なお、以下の説明においては、印を白鍵１１ｗ及び黒鍵１１ｂに設けた例を示すが、ハンマー１６ｗ、ハンマー１６ｂ及び鍵フレーム１２に同様の印を設けてもよい。また、ハンマー１６ｗ及びハンマー１６ｂに設ける印と、鍵フレーム１２に設ける印の種類は、同一でなくてもよく、対応する印であればよい。すなわち、ハンマー１６ｗ及びハンマー１６ｂに設ける印と、鍵フレーム１２に設ける印との対応関係が明確であれば、両者の印の種類が異なっていてもよい。また、白鍵１１ｗ及び黒鍵１１ｂに設ける印と、鍵フレーム１２に設ける印も、同一でなくてもよい。すなわち、白鍵１１ｗ及び黒鍵１１ｂに設ける印と、鍵フレーム１２に設ける印との対応関係が明確であれば、両者の印の種類が異なっていてもよい。
【００４１】
例えば、図１５に示すように、鍵ごとに、序列概念のある文字又は記号を記してもよい。この場合、例えば、ひらがなの５０音（「あ」、「い」、「う」、「え」、「お」・・）のそれぞれの文字を音名及び鍵域番号（Ｃ１、Ｃ１＃、Ｄ１、Ｄ１＃、Ｅ・・・）に対応させるとよい。また、例えば、音高に対応する番号を記すようにしてもよい。また、この場合、白鍵１１ｗと黒鍵１１ｂに設ける文字又は記号の種類を区別するようにしてもよい。
【００４２】
例えば、図１６に示すように、鍵ごとに異なる色彩の印を設けてもよい。この場合、例えば、低音部の鍵から高音部の鍵に向かうに従って、濃度を薄く（又は濃く）するとよい。また、この場合、白鍵１１ｗの印の色調と黒鍵１１ｂの印の色調を区別してもよい。
【００４３】
また、例えば、図１７に示すように、鍵ごとに前後方向及び横方向の寸法が異なる印を設けてもよい。この場合、例えば、白鍵１１ｗには、横方向の幅が同一であって、低音部の白鍵１１ｗから高音部の白鍵１１ｗに向かうに従って、前後方向の長さが長くなる長方形の印を設け、黒鍵１１ｂには、前後方向の長さが同一であって、低音部の黒鍵１１ｂから高音部の黒鍵１１ｂに向かうに従って、横方向の幅が狭くなる長方形の印を設けるとよい。また、この場合、白鍵１１ｗと黒鍵１１ｂの印を区別しなくてもよい。例えば、白鍵１１ｗ及び黒鍵１１ｂのいずれについても、横方向の幅が同一であって、割り当てられた音高が高くなるに従って、前後方向の長さが長くなる長方形の印を設けてもよい。
【００４４】
また、例えば、図１８に示すように、鍵ごとに示す方向が異なる印を付してもよい。この場合、例えば、低音部の鍵から高音部の鍵に向かうに従って、矢印の方向を時計回りに所定の角度θずつ回転させた印を設けるとよい。また、この場合、白鍵１１ｗに設ける矢印の向きが変化する領域と黒鍵１１ｂに設ける矢印の向きが変化する領域とを区別するようにしてもよい。例えば、白鍵１１ｗに設ける矢印の向きは、後方を中心とする±９０°の領域内で変化するようにし、黒鍵１１ｂに設ける矢印の向きは、前方を中心とする±９０°の領域内で変化するようにするとよい。
【００４５】
また、例えば、図１９に示すように、鍵ごとに、異なる位置に印を設けてもよい。この場合、例えば、低音部の白鍵１１ｗから高音部の白鍵１１ｗに向かうに従って、丸印を設ける位置を白鍵１１ｗの前端部側に徐々に移動させ、低音部の黒鍵１１ｂから高音部の黒鍵１１ｂに向かうに従って、丸印を設ける位置を黒鍵１１ｂの左端部から右端部に向かって徐々に移動させるとよい。また、この場合、白鍵１１ｗと黒鍵１１ｂにおける印を設ける位置を区別しなくてもよい。例えば、割り当てられた音高が高くなるに従って、丸印を設ける位置を鍵の前端部側に徐々に移動させてもよい。
【００４６】
また、例えば、鍵ごとに、バーコード、ＱＲコードなど、コード化されていて、バーコードリーダ、ＱＲコードリーダなどの所定の装置によって読み取り可能な印を設けてもよい。
【００４７】
これらの印によっても、鍵及びハンマーを識別することができ、鍵フレーム１２へのそれぞれの組み付け位置を特定することができるので、上記実施形態と同様の効果が得られる。
【符号の説明】
【００４８】
１１ｗ・・・白鍵、１１ｂ・・・黒鍵、１１ｗ１，１１ｂ１・・・駆動部、１２・・・鍵フレーム、１３・・・鍵支持部、１６ｗ，１６ｂ・・・ハンマー、１６ｗ１，１６ｂ１・・・基部、１６ｗ２，１６ｂ２・・・連結棒、１６ｗ３，１６ｂ３・・・質量体、１８ｗ，１８ｂ・・・ハンマー支持部、Ｐｗ１，Ｐｂ１・・・当接部、ＦＲ・・・フレーム
【図１】
0005821211.tif 000002
【図２】
0005821211.tif 000003
【図３】
0005821211.tif 000004
【図４】
0005821211.tif 000005
【図５】
0005821211.tif 000006
【図６】
0005821211.tif 000007
【図７】
0005821211.tif 000008
【図８】
0005821211.tif 000009
【図９】
0005821211.tif 000010
【図１０】
0005821211.tif 000011
【図１１】
0005821211.tif 000012
【図１２】
0005821211.tif 000013
【図１３】
0005821211.tif 000014
【図１４】
0005821211.tif 000015
【図１５】
0005821211.tif 000016
【図１７】
0005821211.tif 000017
【図１８】
0005821211.tif 000018
【図１９】
0005821211.tif 000019
【図１６】
0005821211.tif 000020